(57)【特許請求の範囲】
【請求項１】
装填ユニットとシッピング楔とのアセンブリであって、
外科用器具と取外し可能に係合するように適合され、ツールアセンブリと駆動アセンブリとを含む装填ユニットであって、該駆動アセンブリは、該ツールアセンブリを作動させるために、後退位置から前進位置まで移動可能である、装填ユニットと、
該装填ユニットと取外し可能に係合するように構成されているシッピング楔であって、該シッピング楔は、横断部材を含み、該横断部材は、該後退位置において該装填ユニットの該駆動アセンブリを保持するために、該装填ユニットの中に延び、該駆動アセンブリと係合するように設置されている、シッピング楔と
を備え、
該装填ユニットは、ロッキング機構を含み、該ロッキング機構は、該装填ユニット内に該横断部材を取外し可能に保持することにより、該装填ユニットからの該横断部材の除去を防止し、かつ、該装填ユニットが該外科用器具と係合されている場合に該装填ユニットからの該横断部材の除去を可能にするように構成されており、
該シッピング楔は、ロッキング部材を含み、該ロッキング部材は、該装填ユニットの該ロッキング機構と係合することにより、該装填ユニットからの該横断部材の除去を防止するように構成されており、
該シッピング楔の該ロッキング部材は、該シッピング楔の該横断部材とは異なっている、装填ユニットとシッピング楔とのアセンブリ。
【請求項２】
前記横断部材は、ピンを含み、前記駆動アセンブリは、該ピンを受け取るように寸法設定されている穴を含む、請求項１に記載の装填ユニットとシッピング楔とのアセンブリ。
【請求項３】
前記ロッキング機構は、前記装填ユニット内に摺動可能に支持されるロック板を含み、該ロック板は、ロッキング部分と解放部分とを含む鍵穴を画定し、該鍵穴は、前記横断部材を受け取るように寸法設定され、前記シッピング楔の前記ロッキング部材は、該横断部材上に形成されたフランジ部分を含み、該フランジ部分は、該鍵穴の該ロッキング部分を通る該横断部材の通過を制限するが、該鍵穴の解放部分を通る該横断部材の通過を可能にするように寸法設定されているフランジ部分を有しており、該ロック板は、該鍵穴の該ロッキング部分が該横断部材と整列して該装填ユニットからの該シッピング楔の分離を防止する第一の位置から、該鍵穴の該解放部分が該横断部材と整列して該装填ユニットからの該シッピング楔の分離を可能にする第二の位置まで移動可能である、請求項１に記載の装填ユニットとシッピング楔とのアセンブリ。
【請求項４】
前記ロック板は、前記装填ユニットの外科用器具との係合に応答して、前記第一の位置から前記第二の位置まで移動させられるように適合されている、請求項３に記載の装填ユニットとシッピング楔とのアセンブリ。
【請求項５】
前記シッピング楔は、前記装填ユニットの周りに取外し可能に配置されるように構成される少なくとも１対の可撓性クリップを含む、請求項１に記載の装填ユニットとシッピング楔とのアセンブリ。
【請求項６】
前記シッピング楔は、少なくとも１つの皿部分を画定する本体を含むことにより、該シッピング楔の把持を容易にする、請求項５に記載の装填ユニットとシッピング楔とのアセンブリ。
【請求項７】
前記装填ユニットの前記ロッキング機構は、第一の位置から第二の位置まで移動可能であるタブを含み、前記シッピング楔の前記ロッキング部材は、ロッキングリップを含み、該ロッキングリップは、該タブが該タブの該第一の位置にあるときに該タブと整列していることにより該装填ユニットからの該シッピング楔の分離を防止し、該タブが該第二の位置に移動させられると該タブと整列していないことにより、該装填ユニットからの該シッピング楔の分離を可能にする、請求項１に記載の装填ユニットとシッピング楔とのアセンブリ。
【請求項８】
前記タブは、前記装填ユニットの外科用器具への取付けに応答して、前記第一の位置から前記第二の位置まで移動させられるように適合される、請求項７に記載の装填ユニットとシッピング楔とのアセンブリ。
【請求項９】
外科用器具の装填ユニットと共に使用されるシッピング楔であって、
本体部分と、
該本体部分から延びている細長い横断部材であって、該細長い横断部材は、装填ユニットの駆動アセンブリと係合可能であるように構成され、寸法設定されることにより、該駆動アセンブリの直線的な移動を防止する、細長い横断部材と、
該装填ユニットと取外し可能に係合可能であることにより、該装填ユニットからの該細長い横断部材の除去を防止し、かつ、該装填ユニットが該外科用器具と係合されている場合に該装填ユニットからの該細長い横断部材の除去を可能にするロッキング部材と
を備え、
該ロッキング部材は、該細長い横断部材とは異なっている、シッピング楔。
【請求項１０】
前記ロッキング部材は、前記細長い横断部材上に形成されるフランジを含む、請求項９に記載のシッピング楔。
【請求項１１】
前記ロッキング部材は、前記本体部分から突出しているリップである、請求項９に記載のシッピング楔。
【請求項１２】
前記リップは、前記本体部分に付着された板から突出している、請求項１１に記載のシッピング楔。
【請求項１３】
前記細長い横断部材は、前記板から延びている、請求項１２に記載のシッピング楔。
【請求項１４】
摩擦によって前記装填ユニットと係合可能である、少なくとも１つの上部クリップおよび少なくとも１つの下部クリップをさらに備えている、請求項９に記載のシッピング楔。
【請求項１５】
外科用器具の装填ユニットと共に使用されるシッピング楔であって、
本体部分と、
該本体部分から延びている細長い横断部材であって、該細長い横断部材は、装填ユニットの駆動アセンブリと係合可能であるように設置され、構成されている、細長い横断部材と、
該装填ユニット内に細長い横断部材を取外し可能に保持することにより、該装填ユニットからの該細長い横断部材の除去を防止し、かつ、該装填ユニットが該外科用器具と係合されている場合に該装填ユニットからの該細長い横断部材の除去を可能にするロッキング機構と
を備え、
該ロッキング機構が該細長い横断部材を該装填ユニット内に保持しているとき、該細長い横断部材が該装填ユニットの該駆動アセンブリと係合することにより該装填ユニット内での該駆動アセンブリの移動を防止し、
該ロッキング機構は、該細長い横断部材とは異なっている、シッピング楔。
【請求項１６】
前記ロッキング機構は、前記細長い横断部材上に形成されたフランジと、該装填ユニット内に移動可能に据え付けられたロック板とを含む、請求項１５に記載のシッピング楔。
【請求項１７】
前記ロック板は、前記フランジの通過を防止する第一の部分と、該フランジの通過を可能にする第二の拡張された部分とを有する鍵穴スロットを含む、請求項１６に記載のシッピング楔。
【請求項１８】
前記ロッキング機構は、前記本体部分から突出しているリップを含み、該リップは、該装填ユニット内に移動可能に据え付けられているタブと係合可能であるように設置されている、請求項１５に記載のシッピング楔。
【発明の詳細な説明】
【技術分野】
【０００１】
（１．技術分野）
本開示は、外科用器具の一回使用の装填ユニット（「ＳＵＬＵ」）とともに使用するロッキングシッピング楔に関する。さらに具体的には、本開示は、外科用器具の駆動アセンブリを移動不能にするロッキングシッピング楔と、ロッキングシッピング楔の除去を防止するロッキング機構とに関する。
【背景技術】
【０００２】
（２．関連技術の背景）
様々な外科処置が、ＳＵＬＵ等の使い捨ての、または取替え可能な装填ユニットを有する外科用器具を用いて実行される。これらの装填ユニットは、概して、外科用器具の駆動部材と係合するために可動部品（単数または複数）を含む。装填ユニットを外科用器具に取り付ける前またはその間に、可動部品が適した位置に適切に保持されない場合には、装填ユニットは、外科用器具と適切に係合し得ず、従って、適切に機能し得ない。一部の外科用器具は、自動的なロッキングシステムが提供されており、自動的なロッキングシステムは、外科用器具に取り付ける前においてはツールアセンブリの構成要素の移動を妨げ、一旦装填ユニットが適切に外科用器具上に設置されると、ツールアセンブリの可動部品の自由な移動を可能にする。
【０００３】
外科用器具への装填ユニットの取付け前においては、装填ユニットの内部部品の移動を防止する、装填ユニットのためのロッキングシッピングデバイスを提供することが望ましいであろう。装填ユニットが外科用器具に取り付けられるまで、装填ユニットからロッキングシッピング楔の手動による除去を防止するための機構を提供して、装填ユニットの構成要素の外科用器具との整列解除を防止することも望ましいであろう。
【発明の概要】
【課題を解決するための手段】
【０００４】
装填ユニットとシッピング楔とのアセンブリが開示され、それは、外科用器具を取外し可能に係合するように適合される装填ユニットとシッピング楔とを含む。装填ユニットは、ツールアセンブリと、ツールアセンブリを作動させるために後退位置から前進位置まで移動可能である駆動アセンブリとを含む。シッピング楔は、装填ユニットと取外し可能に係合するように構成され、装填ユニットの中に延び、駆動部材と係合するように設置されて、後退位置に装填ユニットの駆動部材を保持する横断部材を含む。一実施形態において、横断部材はピンを含み、駆動アセンブリはピンを受け取るように寸法設定された穴を含む。
【０００５】
一実施形態において、横断部材はフランジを含み、ロック板は装填ユニット内に摺動可能に支持されている。ロック板は、ロッキング部分と解放部分とを含む鍵穴を画定している。鍵穴は、横断部材を受け取るように寸法設定される。フランジ部分は、鍵穴のロッキング部分を通る横断部材の通過を制限するが、鍵穴の解放部分を通る横断部材の通過を可能にするように寸法設定されている。ロック板は、装填ユニットからのシッピング楔の分離を防止するために鍵穴のロッキング部分が横断部材と整列している第一の位置から、装填ユニットからのシッピング楔の分離を可能にするために鍵穴の解放部分が横断部材と整列している第二の位置まで移動可能である。一実施形態において、ロック板は、装填ユニットの外科用器具との係合に応じて第一の位置から第二の位置まで移動させられるように適合されている。
【０００６】
シッピング楔は、装填ユニットの周りに取外し可能に設置されるように構成される少なくとも１対の可撓性クリップを含む。シッピング楔は、少なくとも１つの皿部分を画定する本体を含むことにより、シッピング楔の把持を容易にする。
【０００７】
一実施形態において、装填ユニットは、第一の位置から第二の位置まで移動可能であるタブを含み、シッピング楔は、ロッキングリップを含み、ロッキングリップは、装填ユニットからのシッピング楔の分離を防止するために、タブがタブの第一の位置にあるとタブと整列しており、装填ユニットからのシッピング楔の分離を可能にするために、タブが第二の位置に移動させられるとタブと整列していない。タブは、装填ユニットの外科用器具への取付けに応答して、第一の位置から第二の位置まで移動させられ得る。
【０００８】
外科用器具の装填ユニットとの使用のためのシッピング楔が開示され、それは、本体部分と、本体部分から延びている細長い横断部材とを含む。細長い横断部材は、装填ユニットの駆動アセンブリと係合可能であるように構成され、寸法設定されていることにより、駆動アセンブリの直線的な移動を防止する。ロッキング部材は、装填ユニットと取外し可能に係合可能であることにより、装填ユニットからの横断部材の除去を防止する。一実施形態において、ロッキング部材は、細長い横断部材上に形成されるフランジを含む。あるいは、ロッキング部材は、本体部分から突出しているリップを含み得る。リップは本体部分に付着された板から突出し得る。細長い横断部材は、また板から延び得る。
【０００９】
一実施形態において、シッピング楔は、摩擦によって装填ユニットと係合可能である、少なくとも１つの上部クリップと少なくとも１つの下部クリップとをさらに含む。
【００１０】
本体部分と、本体部分から延びている細長い横断部材とを含む、外科用器具の装填ユニットとの使用のためのシッピング楔が、また開示される。細長い横断部材は、装填ユニットの駆動アセンブリと係合可能であるように設置され得、そのように構成され得る。シッピング楔は、また装填ユニット内に細長い横断部材を取外し可能に保持するためのロッキング機構を含み、それにより、装填ユニットからの横断部材の除去を防止する。ロッキング機構は、細長い横断部材上に形成されたフランジと、装填ユニット内に移動可能に据え付けられたロック板とを含み得る。
【００１１】
一実施形態において、ロック板は、フランジの通過を防止する第一の部分と、フランジの通過を可能にする第二の拡張された部分とを有する鍵穴スロットを含む。あるいは、ロッキング機構は、本体部分から突出するリップを含み、リップは装填ユニット内に移動可能に据え付けられるタブと係合可能であるように設置される。
【００１２】
本発明は、例えば、以下を提供する。
（項目１）
装填ユニットとシッピング楔とのアセンブリであって、
外科用器具と取外し可能に係合するように適合され、ツールアセンブリと駆動アセンブリとを含む装填ユニットであって、該駆動アセンブリは、該ツールアセンブリを作動させるために、後退位置から前進位置まで移動可能である、装填ユニットと、
該装填ユニットを取外し可能に係合するように構成されているシッピング楔であって、該シッピング楔は、横断部材を含み、該横断部材は、該後退位置において該装填ユニットの駆動部材を保持するために、該装填ユニットの中に延び、該駆動部材を係合するように設置されている、シッピング楔と
を備えている、アセンブリ。
（項目２）
上記横断部材は、ピンを含み、上記駆動アセンブリは、該ピンを受け取るように寸法設定されている穴を含む、上記項目に記載の装填ユニットとシッピング楔とのアセンブリ。
（項目３）
上記装填ユニット内に摺動可能に支持されるロック板をさらに含み、該ロック板は、ロッキング部分と解放部分とを含む鍵穴を画定し、該鍵穴は、上記横断部材を受け取るように寸法設定され、該横断部材は、該鍵穴の該ロッキング部分を通る該横断部材の通過を制限するが、該鍵穴の解放部分を通る該横断部材の通過を可能にするように寸法設定されているフランジ部分を有しており、該ロック板は、該鍵穴の該ロッキング部分が該横断部材と整列して該装填ユニットからの該シッピング楔の分離を防止する第一の位置から、該鍵穴の該解放部分が該横断部材と整列して該装填ユニットからの該シッピング楔の分離を可能にする第二の位置まで移動可能である、上記項目のうちのいずれか一項に記載の装填ユニットとシッピング楔とのアセンブリ。
（項目４）
上記ロック板は、上記装填ユニットの外科用器具との係合に応答して、上記第一の位置から上記第二の位置まで移動させられるように適合されている、上記項目のうちのいずれか一項に記載の装填ユニットとシッピング楔とのアセンブリ。
（項目５）
上記シッピング楔は、上記装填ユニットの周りに取外し可能に配置されるように構成される少なくとも１対の可撓性クリップを含む、上記項目のうちのいずれか一項に記載の装填ユニットとシッピング楔とのアセンブリ。
（項目６）
上記シッピング楔は、少なくとも１つの皿部分を画定する本体を含むことにより、該シッピング楔の把持を容易にする、上記項目のうちのいずれか一項に記載の装填ユニットとシッピング楔とのアセンブリ。
（項目７）
上記装填ユニットは、第一の位置から第二の位置まで移動可能であるタブを含み、上記シッピング楔は、ロッキングリップを含み、該ロッキングリップは、該タブが該タブの該第一の位置にあるときに該タブと整列していることにより該装填ユニットからの該シッピング楔の分離を防止し、該タブが該第二の位置に移動させられると該タブと整列していないことにより、該装填ユニットからの該シッピング楔の分離を可能にする、上記項目のうちのいずれか一項に記載の装填ユニットとシッピング楔とのアセンブリ。
（項目８）
上記タブは、上記装填ユニットの外科用器具への取付けに応答して、上記第一の位置から上記第二の位置まで移動させられるように適合される、上記項目のうちのいずれか一項に記載の装填ユニットとシッピング楔とのアセンブリ。
（項目９）
外科用器具の装填ユニットとの使用のためのシッピング楔であって、
本体部分と、
該本体部分から延びている細長い横断部材であって、該細長い横断部材は、装填ユニットの駆動アセンブリと係合可能であるように構成され、寸法設定されることにより、該駆動アセンブリの直線的な移動を防止する、細長い横断部材と、
ロッキング部材であって、該装填ユニットと取外し可能に係合可能であることにより、該装填ユニットからの該横断部材の除去を防止する、ロッキング部材と
を備えている、シッピング楔。
（項目１０）
上記ロッキング部材は、上記細長い横断部材上に形成されるフランジを含む、上記項目のうちのいずれか一項に記載のシッピング楔。
（項目１１）
上記ロッキング部材は、上記本体部分から突出しているリップである、上記項目のうちのいずれか一項に記載のシッピング楔。
（項目１２）
上記リップは、上記本体部分に付着された板から突出している、項目１１に記載のシッピング楔。
（項目１３）
上記細長い横断部材は、上記板から延びている、上記項目のうちのいずれか一項に記載のシッピング楔。
（項目１４）
摩擦によって上記装填ユニットと係合可能である、少なくとも１つの上部クリップおよび少なくとも１つの下部クリップをさらに備えている、上記項目のうちのいずれか一項に記載のシッピング楔。
（項目１５）
外科用器具の装填ユニットとの使用のためのシッピング楔であって、
本体部分と、
該本体部分から延びている細長い横断部材であって、該細長い横断部材は、装填ユニットの駆動アセンブリと係合可能であるように設置され、構成されている、細長い横断部材と、
該装填ユニット内の細長い横断部材を取外し可能に保持するためのロッキン機構であって、該装填ユニットからの該横断部材の除去を防止する、ロッキング機構と
を備えている、シッピング楔。
（項目１６）
上記ロッキング機構は、上記細長い横断部材上に形成されたフランジと、該装填ユニット内に移動可能に据え付けられたロック板とを含む、上記項目のうちのいずれか一項に記載のシッピング楔。
（項目１７）
上記ロック板は、上記フランジの通過を防止する第一の部分と、該フランジの通過を可能にする第二の拡張された部分とを有する鍵穴スロットを含む、上記項目のうちのいずれか一項に記載のシッピング楔。
（項目１８）
上記ロッキング機構は、上記本体部分から突出しているリップを含み、該リップは、該装填ユニット内に移動可能に据え付けられているタブと係合可能であるように設置されている、上記項目のうちのいずれか一項に記載のシッピング楔。
【００１３】
（摘要）
ロッキングシッピング楔が提供され、これは、概して本体部分を含み、本体部分から細長い横断部材が突出しており、細長い横断部材は、装填ユニットの駆動アセンブリと係合可能である。ロッキング機構が、シッピング楔の本体部分上に提供され、これは、装填ユニット内に移動可能に据え付けられるロッキング構造と係合可能である。
【図面の簡単な説明】
【００１４】
本開示のロッキングシッピング楔の様々な実施形態が、本明細書において下図を参照して開示される。
【図１】図１は、外科用ステープリング器具の一回使用の装填ユニットとの使用のためのロッキングシッピング楔の一実施形態の正面斜視図である。
【図２】図２は、図１のロッキングシッピング楔の背面斜視図である。
【図２Ａ】図２Ａは、部品が分離されている図１のロッキングシッピング楔の斜視図である。
【図３】図３は、外科用ステープリング器具との使用のための、図１のロッキングシッピング楔を組み込む一回使用の装填ユニットの斜視図である。
【図４】図４は、図３の一回使用の装填ユニットの近位本体部分の、部品が分離されている斜視図である。
【図５】図５は、ロックされた位置にあるロッキング機構を示す近位本体部分の斜視図であって、ロッキングシッピング楔の一部が想像線で示され、外側スリーブが外されている。
【図６】図６は、図３の線６−６に沿ってとられた断面図である。
【図７】図７は、図３の線７−７に沿ってとられた断面図である。
【図８】図８は、ロッキング機構を組み込み、ロックされた位置にあるロッキングシッピング楔の斜視図である。
【図９】図９は、図８の線９−９に沿ってとられた断面図である。
【図１０】図１０は、図５と同様の、外科用ステープリング器具の中への近位本体部分の挿入およびロッキング機構のロックされていない位置への移動の間における、斜視図である。
【図１１】図１１は、断面で示された、ロックされていない位置における、近位本体部分およびロッキングシッピング楔の側面図である。
【図１２】図１２は、断面で示された、ロックされていない位置における、近位本体部分およびロッキングシッピング楔の上面図である。
【図１３】図１３は、ロッキング機構を組み込んでいる、ロックされていない位置におけるロッキングシッピング楔の斜視図である。
【図１４】図１４は、図１３の線１４−１４に沿ってとられた断面図である。
【図１５】図１５は、近位本体部分からのロッキングシッピング楔の除去を示している、ロッキングシッピング楔および近位本体部分の断面図である。
【図１６】図１６は、一回使用の装填ユニットからのロッキングシッピング楔の除去を示している、一回使用の装填ユニットおよびロッキングシッピング楔の斜視図である。
【図１７】図１７は、外科用ステープリング器具の単回使用装填ユニットとの使用のためのロッキングシッピング楔の別の実施形態の正面斜視図である。
【図１８】図１８は、図１７のロッキングシッピング楔の背面斜視図である。
【図１８Ａ】図１８Ａは、部品が分離されている、図１７のロッキングシッピング楔の斜視図である。
【図１９】図１９は、外科用ステープリング器具との使用のための、図１７のロッキングシッピング楔を組み込んでいる一回使用の装填ユニットの斜視図である。
【図２０】図２０は、部品が分離されている、図１９の一回使用の装填ユニットの近位本体部分の斜視図である。
【図２１】図２１は、ロッキング機構を組み込んでおり、ロックされた位置にあるロッキングシッピング楔の斜視図である。
【図２２】図２２は、図２１の線２２−２２に沿ってとられた断面図である。
【図２３】図２３は、図１９の線２３−２３に沿ってとられた断面図である。
【図２４】図２４は、図２３の線２４−２４に沿ってとられた断面図である。
【図２５】図２５は、ロッキングシッピング楔およびロックされた位置にある近位本体部分のロッキング部材のロッキング部材作動器の斜視図である。
【図２６】図２６は、外科用ステープリング器具の中への挿入前の、近位本体部分の近位端の斜視図である。
【図２７】図２７は、ロッキングシッピング楔およびロックされていない位置まで移動させられているロッキング部材作動器を示している、図２５と同様の斜視図である。
【図２８】図２８は、ロッキング部材作動器のロックされていない位置への移動の間における近位本体部分の近位端の斜視図である。
【図２９】図２９は、ロッキングシッピング楔の一回使用の装填ユニットの除去の間における、近位本体部分およびロッキングシッピング楔の断面図である。
【図３０】図３０は、一回使用の装填ユニットからのロッキングシッピング楔の除去を示す斜視図である。
【発明を実施するための形態】
【００１５】
ロッキング機構を含む本開示のロッキングシッピング楔の実施形態がここで図面を参照して詳細に述べられ、いくつかの図の各々において、同様の番号は同一のまたは対応する構成要素を示す。当該技術において一般的であるように、用語「近位の」は、外科医または内科医のような使用者または操作者により近い部分または構成要素を指し、用語「遠位の」は、使用者からより遠く離れた部分または構成要素を指す。
【００１６】
図１および２を参照すると、外科用ステープリング器具の装填ユニットとともに用いられるロッキングシッピング楔またはシッピング楔１０が開示される。シッピング楔１０が提供されることにより、外科用ステープリング器具（図示せず）による装填ユニットの組立て前において、装填ユニットの駆動アセンブリの移動を防止する。シッピング楔１０は、概して、半円形または皿形状の本体部分１２を含み、本体部分１２から横断ピン１４が延びている。横断ピン１４は、例えば、金属材料、高分子材料等のような様々な材料から形成され得る。
【００１７】
横断ピン１４は、装填ユニットの駆動アセンブリと係合するために提供される内側ピン部分１６を含む。ロッキングフランジ１８は、横断ピン１４上に提供され、ロッキング機構の部品を形成し、以下に詳述されるように、装填ユニットが外科用ステープリング器具に固定的に取り付けられた後まで、装填ユニットからのシッピング楔１０の除去を防止する。ロッキングフランジ１８は、円形であるとして開示されているが、ロッキングフランジ１８は、長方形、三角形等の他の形状を呈し得、その形状は、以下で詳述されるロッキング機構の対応するロッキング構造と適合する。
【００１８】
一対の可撓性上部クリップ２０および２２、ならびに一対の長手方向にずらされた可撓性下部クリップ２４および２６は、本体部分１２から延び、装填ユニット上にシッピング楔１０を支持し、安定させるために装填ユニットと取外し可能に係合するように構成される。示されるように、本体部分１２は、上部皿部分２８と、中央チューブ３０と、上部皿部分２８を囲む上部周縁リップ３２とを含む。中央チューブ３０は、横断ピン１４を受け取り、保持するために提供され、一方、上部周縁リップ３２および上部皿部分２８は、シッピング楔１０を把持する人間工学的な手段を提供する。あるいは、別の人間工学的な構成が想定される。可撓性上部クリップ２０および２２と可撓性下部クリップ２４および２６とは、本体部分１２と一体的に形成される。本体部分１２に沿う上部クリップ２０および２２と下部クリップ２４および２６とは、例えば、金属材料、高分子材料等の様々な材料から形成され得る。
【００１９】
図２Ａを参照すると、シッピング楔１０は、中央チューブ３０を通して形成され、横断ピン１４を受け取るように寸法設定された孔３４を含む。特に、横断ピン１４は、中央チューブ３０の孔３４内にしっかりと固定される外側ピン部分３６を含む。外側ピン部分３６は、例えば、溶接、接着、ピン止め等の任意の公知の方法で孔３４内に固定され得る。あるいは、横断ピン１４は、シッピング楔１０の本体部分１２と一体に形成され得る。ピン１４の中間部分３８は、ロッキングフランジ１８と外側部分３６との間で延び、以下でさらに詳述されるようなロッキング機構の第二の構成要素の中を移動するように構成される。
【００２０】
図３を参照すると、装填ユニット４０は、近位本体部分４２とツールアセンブリ４４とを含む。近位本体部分４２は、外科用ステープリング器具（図示せず）の細長本体部分の遠位端に、近位本体部分４２の近位端４８に設置された挿入先端４６によって取外し可能なように取付け可能である。ツールアセンブリ４４は、アンビルアセンブリ５０とカートリッジアセンブリ５２とを含む。カートリッジアセンブリ５２は、アンビルアセンブリ５０に対して旋回可能であり、開放すなわちクランプしていない位置と閉鎖すなわち接近した位置との間で移動可能である。示される実施形態において、アンビルアセンブリ５０とカートリッジアセンブリ５２とを含むツールアセンブリ４４は、近位本体部分４２の長手軸「Ａ−Ａ」に対して曲げられる。あるいは、ツールアセンブリ４４は一対の直線的な顎部を含み得る。
【００２１】
ここで図４を参照すると、近位本体部分４２は、成形半分区画５４ａおよび５４ｂから形成される内側本体５４と、駆動アセンブリ５６と、駆動ロッキングアセンブリ５８とを含む。近位本体部分４２は、据付アセンブリ６０によってツールアセンブリ４４に連結され、据付アセンブリは内側本体半分区画５４ａにしっかりと固定される。
【００２２】
駆動アセンブリ５６は、ツールアセンブリ４４の湾曲を通して前進させられるほど十分に可撓性である可撓性駆動ビーム６２を含む。あるいは、装填ユニットが直線的な構造であり、関節運動可能なツールアセンブリを含む場合、可撓性駆動ビーム６２は関節運動軸の周りで曲がるほど十分に可撓性である。駆動ビーム６２は、動的なクランピング部材６６に固定される遠位端６４と、近位係合区画６８とを有する。係合区画６８の近位端７０は、正反対に対向した内側に延びるフィンガー７２および７４を含み、フィンガーは、駆動部材７６を可撓性駆動ビーム６２にしっかりと固定するために、中空の駆動部材７６を係合する。駆動部材７６は、装填ユニット４０が外科用器具に取り付けられるときに、外科用器具の制御ロッド（図示せず）の遠位端を受け取る近位ポート穴８０を画定する。
【００２３】
動的なクランピング部材６６は、垂直支柱８２と、上部ビーム８４と、下部ビーム８６とを含む。ナイフまたは切刃８８は、垂直支柱８２上に形成される。駆動アセンブリ５６が、ツールアセンブリ４４内を遠位方向に前進させられると、上部ビーム８４はアンビルアセンブリ５０内を移動し、下部ビーム８６は、カートリッジアセンブリ５２内を移動することにより、カートリッジアセンブリ５２を開放位置から閉鎖位置まで旋回させる。
【００２４】
装填ユニット４０は、ロッキング部材９２とロッキング部材作動器９４とを含むロッキング機構９０を含む。ロッキング部材９２は、ロッキング部材９２が駆動アセンブリ５６を発射前の位置に保持する第一の位置から、駆動アセンブリ５６が自由に軸方向に移動する第二の位置まで移動可能である。ロッキング部材９２は、装填ユニット４０の近位本体部分４２の内側本体半分５４ａ内に摺動可能に設置される、半円筒形の本体９６を含む。本体９６は、駆動アセンブリ５６内に形成されたノッチ１００の中に受け取られるように寸法設定される、放射方向内側に延びるフィンガー９８を含む。フィンガー９８の駆動アセンブリ５６のノッチ１００内への係合は、外科用器具への装填ユニット４０の取付け前において、駆動アセンブリ５６が装填ユニット４０の近位本体部分４２内を直線的に移動することを防止する。
【００２５】
使用中、装填ユニット４０の外科用ステープリング器具への取付け前においては、バネ１０２は、ロッキング部材作動器９４を第一の位置へ近位方向に強制的に動かすことにより、ロッキング部材９２をそれの第一の位置に保持して、ロッキング部材９２のフィンガー９８が駆動アセンブリ５６のノッチ１００の中に受け取られる。装填ユニット４０の挿入先端４６が外科用ステープリング器具（図示せず）の本体部分の開放端の中に直線的に挿入されると、挿入先端４６の突起１０４および１０６は、外科用ステープリング器具の本体部分の開放端内に形成されるスロット（図示せず）を通って直線的に移動する。装填ユニット４０が本体部分の中にさらに移動させられるにつれて、ロッキング部材作動器９４は、それの第一の位置から第二の位置まで移動させられる。ロッキング部材作動器９４が外科用器具の本体部分と係合し、バネの付勢に逆らってそれの第二の位置まで移動させられると、ロッキング部材９２は、駆動アセンブリ５６のノッチ１００と係合しているそれの第一の位置から第二の位置までカム作用を受けることにより、フィンガー９８をノッチ１００から移動させる。このロッキング機構は、ロッキング部材９２とロッキング部材作動器９４とを含み、装填ユニット４０の外科用ステープリング器具との係合前において、装填ユニット４０の駆動アセンブリ５６の前進を防止する。
【００２６】
装填ユニット４０の近位本体部分４２の内側本体半分区画５４ａは、板バネ１１０を受け取る長手方向のスロット１０８を画定する。板バネ１１０は、内側本体５４の半分区画５４ａおよび５４ｂの周囲に設置され、半分区画５４ａおよび５４ｂを受け取る外側スリーブ１１２によってスロット１０８内に制限される。板バネ１１０は、駆動アセンブリ５６の段付き部分１１０ａに受け取られることにより、装填ユニット４０が外科用器具に取り付けられ、外科用器具が作動させられるまで、駆動アセンブリ５６をそれの後退位置の中で保持することを支援する。外側スリーブ１１２は、シッピング楔１０の横断ピン１４が通過するための穴１１２ａが提供されることに留意すべきである。駆動ビーム６２が遠位方向に前進させられると、板バネ１１０は上方に曲げられて、駆動アセンブリ５６の駆動ビーム６２の遠位への移動を可能にする。
【００２７】
装填ユニットの例示的な例は、米国特許／特許出願第１２／５５３，１７４号（２００９年９月３日出願、名称「ＬＯＷＥＲ  ＡＮＴＥＲＩＯＲ  ＲＥＳＥＣＴＩＯＮ  ＤＥＶＩＣＥ」）に開示されており、それの全内容は、本明細書に参照により援用される。
【００２８】
ここで図２Ａおよび４を参照すると、上記で言及したように、可撓性上部クリップ２０および２２と、可撓性下部クリップ２４および２６とは、装填ユニット４０上にシッピング楔１０を保持するために提供される（図３）。特に、可撓性上部クリップ２０および２２と、可撓性下部クリップ２４および２６とは、近位本体部分４２の外側スリーブ１１２と摩擦によって係合する。
【００２９】
シッピング楔１０は、後退位置に駆動アセンブリ５６を維持するために提供され、それにより、装填ユニット４０の駆動部材７６（図４）の外科用器具の制御ロッドへの取り付けを容易にする。特に、シッピング楔１０の内側ピン部分１６は、駆動アセンブリ５６の係合区画６８内に形成された穴１１４（図４）内に受け取られるように構成されることにより、装填ユニット４０が外科用器具に取り付けられるまで、駆動アセンブリ５６の移動を防止する。
【００３０】
上記で言及されたように、横断ピン１４上のフランジ１８はロッキング機構の部品を形成し、この部品は、装填ユニット４０が外科用ステープリング器具と適切に係合するまで、装填ユニット４０からのシッピング楔１０の除去を防止する。
【００３１】
図４および５に最もよく示されるように、開示されるロッキング機構は、内側本体半分５４ａおよび５４ｂ内に形成されたトレイ１１８（図５）の内部に移動可能に支持されるロック板１１６を含む。ロック板１１６は、トレイ１１８内部を長手方向に自由に摺動し、近位本体部分４２の外側スリーブ１１２によって適所に保持される。トレイ１１８内でロック板１１６を移動させるために、ロック板１１６は、ロッキング部材作動器９４内に形成されるノッチ１２２と係合可能である近位フィンガー１２０を含む。こうして、ロッキング部材作動器９４は、装填ユニット４０の外科用縫合器具との係合の間、遠位方向に移動させられるので、トレイ板１１６は、トレイ１１８内を遠位方向に駆動させられる。
【００３２】
装填ユニット４０からのロッキングシッピング楔１０の除去を防止するために、ロック板１１６は、遠位方向に延びる長手方向のロックスロット１２６と拡大された近位開放開口１２８とを有する、鍵穴スロット１２４を含む。横断ピン１４の中間部分３８（図２Ａ）は、ロックスロット１２６内に乗っている。横断ピン１４のフランジ１８は、ロックスロット１２６よりも直径が大きく、フランジ１８がロックスロット１２６を通過させられることを防止する。しかしながら、鍵穴スロット１２４の開放開口１２８は、ロッキングフランジ１８の通過を可能にし、装填ユニット４０からのロッキングシッピング楔１０の除去を可能にするほど十分に直径が大きい。
【００３３】
ここで図５−９を参照し、最初に図６，７、および９を参照すると、初期またはロックされた状態において、横断ピン１４の内側ピン部分１６は駆動アセンブリ５６の近位係合区画６８内に形成される穴１１４を通して設置される。これは、駆動アセンブリ５６を装填ユニット４０の本体部分４２内で移動不能にする（図６および７）。ロッキング部材作動器９４は、バネ１０２の付勢のために近位位置にある（図５）。
【００３４】
図５，７，８、および９を参照すると、初期およびロックされた状態において、横断ピン１４は、従って中間部分３８は（図７）、ロック板１１６内の鍵穴スロット１２４のロックスロット１２６内に位置している。こうして、ロックフランジ１８は、ロックスロット１２６の背後に捕捉され、それによって装填ユニット４０からのシッピング楔１０の除去を防止する。
【００３５】
ここで図１０−１６を参照すると、ロッキング機構の離脱およびシッピング楔１０の近位本体部分４２からの除去についてここで述べられる。図１０および１２に関して、近位本体部分４２が、挿入先端４６の細長管状部材内への挿入によって、外科用ステープリング器具（図示せず）の遠位端に固定されると、細長管状部材の遠位端は、ロッキング部材作動器９４をバネ１０２の付勢に逆らって遠位方向に（図１０）、近位本体部分４２を通して駆動する。ロッキング部材作動器９４の遠位方向への移動は、内部本体５４内に形成されるトレイ１１８内においてロック板１１６を遠位方向に強制的に押し、それによってロッキングフランジ１８をロック板１１６内の開放開口１２８と整列させる（図１３および１４）。
【００３６】
この位置において、ロッキングシッピング楔１０は、このときロックされていない位置にあり、これが近位本体部分４２から除去されることにより、駆動アセンブリの係合区画６８の穴１１４から内側ピン部分１６を引き抜き得、それによって、駆動アセンブリ５６を移動のために解放する。
【００３７】
図１４を特に参照すると、上記で言及したように、シッピング楔１０の本体部分１２は、上部皿部分２８および周縁リップ３２を含むことにより、近位本体部分４２からのシッピング楔１０の引抜を容易にする。除去をさらに支援するために、本体部分１２は下部周縁リップ１３２によって囲まれる下部皿部分１３０をさらに含む。図１５および１６を参照すると、シッピング楔１０が横方向に引き抜かれることにより、上部クリップ２０および２２ならびに下部クリップ２４および２６を外側スリーブ１１２から離脱させる。ロッキングシッピング楔１０が引き抜かれるにつれて、横断ピン１４が外側スリーブ１１２内の穴１１２ａを通して引き抜かれ、ロッキングフランジ１８がロック板１１６内の開放開口１２８を通して除去され、駆動アセンブリ５６の近位係合区画６８内の穴１１４から内側ピン部分１６を引き抜く。一旦シッピング楔１０が装填ユニット４０から除去されてしまうと、装填ユニット４０に接続されている外科用ステープリング器具は作動させられて、組織にステープリング処置を実行し得る。
【００３８】
図１７−１８Ａは、本体部分１５２と、本体部分１５２から延びる横断部材１５４とを有するシッピング楔１５０の代替的な実施形態を示している。上方に延びるロッキングリップ１５６が本体部分１５２に提供されて、装填ユニット１８０（図１８Ａ）上の構成要素と係合し、それにより、装填ユニット１８０が十分に外科用ステープリング器具と係合される前にロッキングシッピング楔１５０が除去されることを防止するためのロッキング機構を形成する。図１８および１８Ａに最もよく見られるように、横断部材１５４およびロッキングリップ１５６は、一対の保持ピン１６０および１６２によって本体部分１５２に付着されている支持板１５８から延びる。図１８Ａを特に参照すると、ピン１６０および１６２は、支持板１５８の穴１６４および１６６を通って延び、本体部分１５２の穴１７４および１７６と係合するように構成される。支持板１５８は、装填ユニット１８０の本体部分１５２に形成される凹部またはトレイ１７８内に保持され得る。
【００３９】
上記のシッピング楔１０と同様に、シッピング楔１４６は、本体部分１５２から延びる一対の可撓性上部クリップ１６８および１７０と、可撓性下部クリップ１７２とを含む。可撓性クリップ１６８、１７０および１７２は、上記方法と同様の方法で、装填ユニット１８０上にロッキングシッピング楔１５０を支持および保持するために提供される。
【００４０】
ここで図１９を参照すると、装填ユニット１８０は、上記の装填ユニット４０と実質的に同一である。装填ユニット１８０は、概して、近位本体部分１８２とツールアセンブリ１８４とを含む。近位本体部分１８２は、本体部分１８２の近位端１８８に形成される挿入先端１８６によって、外科用ステープリング器具（図示せず）の拡張された本体部分の遠位端に取外し可能に取り付けられる。ツールアセンブリ１８４は、アンビルアセンブリ１９０とカートリッジアセンブリ１９２とを含む。カートリッジアセンブリ１９２は、アンビルアセンブリ１９０に対して旋回可能であり、開放またはクランプされていない位置と閉鎖または近接した位置との間を移動可能である。ツールアセンブリ１８４は、アンビルアセンブリ１９０とカートリッジアセンブリ１９２とを含み、近位本体部分の長手軸「Ｂ−Ｂ」に対して曲がっている。上記で論じたように、ツールアセンブリ１８４は、また直線的な顎部を備え得る。
【００４１】
図２０を参照すると、近位本体部分１８２は、成形半分区画１９４ａおよび１９４ｂから形成される内部本体１９４と、駆動アセンブリ１９６と、駆動ロッキングアセンブリ１９８とを含む。近位本体部分１８２は、据付アセンブリ２００によってツールアセンブリ１８４に連結される。据付アセンブリ２００は、内部本体半分１９４ａにしっかりと固定される。
【００４２】
駆動アセンブリ１９６は、ツールアセンブリ１８４の湾曲を通って前進させられるほど十分に可撓性である可撓性駆動ビーム２０２を含む。駆動ビーム２０２は、動的なクランピング部材２０６に固定される遠位端２０４と、近位係合区画２０８とを有する。係合区画２０８の近位端２１０は、正反対に内側に延びるフィンガー２１２および２１４を含む。フィンガー２１２および２１４は、中空のクランピング部材２１６と係合して、可撓性駆動ビーム２０２の近位端２１８に駆動部材２１６をしっかりと固定する。駆動部材２１６は、装填ユニット１８０が外科用器具に取り付けられると、外科用器具の制御ロッドの遠位端を受け取る遠位のポート穴２２０を画定する。
【００４３】
動的なクランピング部材２０６は、垂直支柱２２４と、上部ビーム２２６と、下部ビーム２２８とを含む。ナイフまたは切刃２３０が、垂直支柱上に形成される。駆動アセンブリ１９６が、ツールアセンブリ１８４内を遠位方向に前進させられると、上部ビーム２２６はアンビルアセンブリ１９０内を移動し、下部ビーム２２８は、カートリッジアセンブリ１９２内を移動することにより、カートリッジアセンブリ５２を開放位置から閉鎖位置まで旋回させる。
【００４４】
装填ユニット１８０は、ロッキング部材２３４と、ロッキング部材作動器２３６とを含むロッキング機構２３２を含む。ロッキング部材９２およびロッキング部材作動器９４に関して上記で論じたように、ロッキング部材２３４は、ロッキング部材２３４が駆動アセンブリ１９６を発射前位置に維持している第一の位置から、駆動アセンブリ１９６が軸方向に自由に移動できる第二の位置まで、移動可能である。ロッキング部材２３４は、本体部分１９４の内部本体半分１９４ａ内に摺動可能に設置される半円筒形の本体２３８を含む。本体２３８は、駆動アセンブリ１９６に形成されるノッチ２４２内に受け取られるように寸法設定されている放射方向内側に延びるフィンガー２４０を含む。フィンガー２４０が駆動アセンブリ１９６のノッチ２４２内に係合することは、駆動アセンブリ１９６が本体部分１９４内で直線的に移動することを防止することにより、装填ユニット１８０の外科用ステープリング器具への取付け前における装填ユニット１８０の作動を防止する。
【００４５】
バネ２４４が、作動器２３６を第一の位置まで強制的に動かすように提供されることにより、ロッキング部材２３４を上記の第一の位置に維持する。近位本体部分１８２は、装填ユニット４０に対して上記のように実質的に機能し、その結果、近位本体部分１８２が外科用ステープリング器具の本体部分内へと移動させられるにつれて、ロッキング部材作動器２３６は、それの第一の位置からそれの第二の位置まで移動させられる。
【００４６】
近位本体部分１８２の上半分区画１９４ａは、板バネ２４８を受け取る長手方向スロット２４６を画定する。板バネ２４８は、外側スリーブ２５０によってスロット２４６内に制限される。駆動ビーム２０２が遠位方向に前進させられると、板バネ２４８は、上方に曲げられて、駆動ビーム２０２の遠位方向への移動を可能にする。
【００４７】
上記のように、シッピング楔１５０は、近位本体部分１８２を係合するように構成される。特に、クリップ１６８、１７０および１７２は、摩擦によって外側スリーブ２５０を係合するように構成される。駆動アセンブリ１９６の移動を防止するために、近位係合区画２０８は、シッピング楔１５０の横断部材１５４を受け取るためのスロット２５２を含む。
【００４８】
ロッキングシッピング楔１５０を近位本体部分１８２に保持し、近位本体部分１８２から解放するために、ロッキング部材作動器２３６は、シッピング楔１５０上に上方に突出しているリップ１５６と係合するように構成されている下方に突出しているタブ２５４を提供される。近位本体部分１８２の中への横断部材の通過を可能にするために、穴２５６が外側スリーブ２５０を通して提供されることに留意すべきである。
【００４９】
ここで図２１、２２および２５を参照すると、初期位置において、シッピング楔１５０のロッキングリップ１５６は、ロッキング部材作動器２３６上に形成されたタブ２５４と完全に係合しており、それにより、近位本体部分１８２からのロッキングシッピング楔１５０の除去を防止する。図２２を参照すると、ロッキングシッピング楔１５０、および、特に本体部分１５２は、一対のつまみ窪み２５８および２６０が提供されることにより、ロッキングシッピング楔１５０の把持を容易にする。
【００５０】
図２３および２４に最もよく示されているように、ロッキングシッピング楔１５０の横断部材１５４は、駆動アセンブリ１９６の近位係合区画２０８を通して形成されるスロット２５２内に完全に挿入されている。これにより、装填ユニット１５０の近位本体部分１８２内での駆動アセンブリ１９６の任意の移動を防止する（図２０）。
【００５１】
ここで図２６を参照すると、初期位置においてロッキング部材作動器２３６は、バネ２９４の付勢のために、近位本体部分１８２内の最近位位置にある。装填ユニット１８０の外科用ステープリング器具への組立て時に、挿入先端１８６が、外科用ステープリング器具と関連する細長部材の中に挿入されて、ロッキング部材作動器２３６がバネ２９４の付勢に逆らって遠位方向に駆動されるようにする（図２８）。
【００５２】
図２７に最もよく示されているように、ロッキング部材作動器２３６が遠位方向に駆動されるにつれて、タブ２５４は、ロッキングシッピング楔１５０上でのリップ１５６との係合から脱するように駆動される。その後は、図２９を参照すると、シッピング楔１５０は、近位本体部分１８２から離れるように引かれることにより、駆動アセンブリ１９６の近位係合区画２０８内のスロット２５２から外に横断部材１５４を引き出し、それによって、シッピング楔１５０から駆動アセンブリ１９６を解放する。図３０に示されるように、装填ユニット１８０からシッピング楔１５０を離脱させるために、横断部材１５４は、外側スリーブ２５０内に形成された穴２５６を通して引き出され、クリップ１６８、１７０および１７２は外側スリーブ２５０から離脱させられる。
【００５３】
本明細書において開示された実施形態に対して様々な修正がなされ得ることが理解されるであろう。例えば、開示された横断部材は、例えば、長方形、三角形等の他の構成を有し得る。さらに、上記で言及したように、開示されたロッキングシッピング楔の様々な構成要素は、一体的に形成され得、または別個に形成され得、そして、例えば、溶接、接着等のような公知の手段によって接合され得る。本明細書で開示されるロッキングシッピング楔は、米国特許第７，０９７，０８９号、同第７，１４３，９２４号および米国特許出願公開第２００５／０１８４１２３号に開示されているロッキング機構のような別のロッキング機構による使用に適合され得、それらの各々は、その全体が、参照によって本明細書に援用される。従って、上記の記述が限定としてではなく、単なる特定の実施形態の例示として解されるべきである。当業者であれば、本明細書に添付されたクレームの範囲および精神の範囲内での別の修正を構想するであろう。
【符号の説明】
【００５４】
１０  シッピング楔
１２  本体部分
１４  横断ピン
１６  内側ピン部分
１８  ロッキングフランジ
２０、２２  可撓性上部クリップ
２４、２６  可撓性下部クリップ
２８  上部皿部分
３０  中央チューブ
３２  上部周縁リップ
３４  穴
【図１】
0005854589.tif 000002
【図２】
0005854589.tif 000003
【図２Ａ】
0005854589.tif 000004
【図３】
0005854589.tif 000005
【図４】
0005854589.tif 000006
【図５】
0005854589.tif 000007
【図６】
0005854589.tif 000008
【図７】
0005854589.tif 000009
【図８】
0005854589.tif 000010
【図９】
0005854589.tif 000011
【図１０】
0005854589.tif 000012
【図１１】
0005854589.tif 000013
【図１２】
0005854589.tif 000014
【図１３】
0005854589.tif 000015
【図１４】
0005854589.tif 000016
【図１５】
0005854589.tif 000017
【図１６】
0005854589.tif 000018
【図１７】
0005854589.tif 000019
【図１８】
0005854589.tif 000020
【図１８Ａ】
0005854589.tif 000021
【図１９】
0005854589.tif 000022
【図２０】
0005854589.tif 000023
【図２１】
0005854589.tif 000024
【図２２】
0005854589.tif 000025
【図２３】
0005854589.tif 000026
【図２４】
0005854589.tif 000027
【図２５】
0005854589.tif 000028
【図２６】
0005854589.tif 000029
【図２７】
0005854589.tif 000030
【図２８】
0005854589.tif 000031
【図２９】
0005854589.tif 000032
【図３０】
0005854589.tif 000033